(57)【要約】【課題】従来のフィルタ−兼用容器では、諸々の目的に応じた形状の容器が一般的であるが、容器内の内容物を変えた場合、汎用性がなく多目的な使用ができない。また、また、必然としてデザイン性を有した形状とも言えず、インテリアにも不向きな形状でもある。【解決手段】大部分が網から構成される篭形状を有した特徴のフィルタ−兼用容器とすることで、その容器内に、芳香剤や消臭剤、カビ防止剤、活性炭等を入れ変えることで、多目的な用途に使用できる汎用性がある機能形状とし、また、多目的用途に対応したデザイン性を有することで、インテリアにも最適な形状とした。【選択図】  図２
2006169931.tif 000002
【特許請求の範囲】
【請求項１】
大部分が網から構成される篭形状を有したフィルタ−兼用容器であり、その容器内に、芳香剤や消臭剤、カビ防止剤、活性炭等を入れ変えることで、多目的な用途に使用できる機能形状を特徴とする。
【発明の詳細な説明】
【技術分野】
【０００１】本発明は、多目的使用を可能とするフィルタ−兼用容器である
【背景技術】
【０００２】従来のフィルタ−兼用容器では、諸々の目的に応じた形状の容器が一般的である。
例えば、特願２００１−３４２５５８で紹介されている流しの排水浄化用フィルタ−カ−トリッジでは、シンク下の排水の悪臭や排水口の異物等を取除く事を目的としてた形状で知られているが、このフィルタ−カ−トリッジの機能である悪臭除去を排水浄化以外の用途で使用する場合、例えばお部屋の悪臭除去を行う場合、または、内容物を取り変えて、芳香を行う場合、それを、壁に吊下げたりすることができないし、デザイン性もない。
また、実願平３−９２４０１に紹介された芳香剤容器では、吸盤で吊るし芳香を行う形状の容器が知られているが、その内容物を悪臭取り用の固形物に取り変えて、排水浄化を試みた場合、こちらの方も、形状的に合わず使用ができない。
この様に、悪臭除去や芳香を機能面で考えた場合、目的に応じた形状のフィルタ−や容器が知られているが、多目的に使用できる形状とは言えない。
そこで、多目的使用を可能とするフィルタ−兼用容器を本発明するに至った。
【特許文献】特願２００１−３４２５５８  実願平３−９２４０１
【発明の開示】
【発明が解決しようとする課題】
【０００３】悪臭除去機能を考えた場合、目的に応じた形状のフィルタ−や容器が知られているが、多目的に使用できる形状ではない。【０００４】芳香機能やそれ以外（カビ防止、ダニ等の虫除け等）を考えた場合、目的に応じた形状であり、多目的に使用できる形状ではない。【０００５】また、必然としてデザイン性を有した形状とも言えず、インテリアにも不向きな形状である。
【発明が解決するための手段】
【０００６】
【０００７】悪臭除去や芳香と、それ以外（カビ防止、ダニ等の虫除け等）の機能を考えた場合機能形状を、大部分が網から構成される篭形状を有したフィルタ−兼用容器を採用することで、通気性や濾過性等の機能を持たせることで、本来の機能を損なわずに多目的な使用を可能にした。
次に、その機能形状にデザイン性を有することで、インテリアにも適した形状にしたものが、本発明の多目的フィルタ−兼用容器である。
【実施例】
【０００８】
【０００９】本発明の多目的フィルタ−兼用容器の実施例を図１〜図５に基づいて説明する。【００１０】本発明の多目的フィルタ−兼用容器は、図１が示す様に、網篭部ａと本体部ｂを嵌め込み部１と嵌め込み部３を組み合わせ、また、嵌め込み部２と嵌め込み部４を組み合わせることで、合体させる。
その際、網篭部ａに目的用途に合わせて、悪臭除去や芳香と、それ以外（カビ防止、ダニ等の虫除け等）を篭の容器内に予め入れておく。【００１１】実施例での網目の形状は、菱形形状を採用したが、丸型、三角形等の幾何学形状を有する形や人、宇宙人、鼠、牛、虎、兎、辰、巳、馬、羊、猿、鳥、犬、猪等の動物の形状、サクラ、チュ−リップ、スミレ、レンゲ等の植物の形状、または、昆虫、魚、乗物、楽器、日用雑貨品、スポ−ツ用具、工具、電化製品、建物等の物の形状を有する形でも良い。【００１２】実施例での網篭部ａの形状は、半円球を採用したが、立方体等の幾何学形状を有する形や人、宇宙人、鼠、牛、虎、兎、辰、巳、馬、羊、猿、鳥、犬、猪等の動物の形状、サクラ、チュ−リップ、スミレ、レンゲ等の植物の形状、または、昆虫、魚、乗物、楽器、日用雑貨品、スポ−ツ用具、工具、電化製品、建物等の物の形状を有する形でも良い。【００１３】実施例での合体方法は、網篭部ａと本体部ｂを嵌め込みによる合体方法を採用したが、網篭部ａと本体部ｂをネジ式に合体させる方法や、嵌め込みとネジ式の併用させた合体方法でも良い。【００１４】図２は、図１に於いて合体させたものを、裏側から図示したものであり、本体底網部５が示す様に、合体させることで、網篭部ａと本体底網部５は、一体のフィルタ−兼用容器となる。
また、デザイン性を有することで、全体像としては、亀の形状を実施例として示し、インテリアにも適する形状とした。【００１５】実施例での全体のデザイン形状は、亀の形状を採用したが、円形等の幾何学形状を有する形や人、宇宙人、鼠、牛、虎、兎、辰、巳、馬、羊、猿、鳥、犬、猪等の動物の形状、ひまわり、チュ−リップ、スミレ、レンゲ等の植物の形状、または、昆虫、魚、乗物、楽器、日用雑貨品、スポ−ツ用具、工具、電化製品、建物等の物の形状を有する形状でも良い。【００１６】図３〜図５では、具体的な多目的使用の実施例を説明する。【００１７】図３では、合体させた形状を側面から見たものであるが、この状態が、一般的に使用される卓上等の据置き型の芳香容器としての使用方法である。【００１８】図４では、合体させたものを裏返しにして、台所の排水溝等の口に嵌め込んだ状態を示し、その容器内に予め悪臭取り等（活性炭）を入れることで、排水溝からの悪臭を取除く他、排水時には本体底網部５により、異物の排水を防止することができる。【００１９】図５では、合体させたものを縦て、壁引っ掛け穴６に、壁用の取付具であるフック等で引っ掛けた状態を示し、その容器内に予めカビ防止剤等を入れ、浴室等の壁に引っ掛けて、浴室の湿気によるカビの発生を防止することができる。【００２０】上述以外の実施例として、このデザイン性からも、小物入れとしても使用が可能である。
【発明の効果】
【００２１】本発明の多目的フィルタ−兼用容器は、実施例が示す様に本発明品を横に置いたり、裏返しに置いたり、縦に置いたりして、その目的とする用途に合わせた使用ができる他、このものの形状が、デザイン性に優れているので、違和感なく多目的な使用ができる。
【図面の簡単な説明】
【００２２】
【図１】本発明の一実施例を示す合体方法
【図２】本発明の一実施例を示す合体させたものを裏側から示した全体図
【図３】本発明の一実施例を示す合体させたものを側面から見た状態図
【図４】本発明の一実施例を示す合体させたものを裏返しにした状態図
【図５】本発明の一実施例を示す合体させたものを縦掛けた状態図
【符号の説明】
ａ：網篭部
ｂ：本体部
１：嵌め込み部（雌側）
２：嵌め込み部（雌側）
３：嵌め込み部（雄側）
４：嵌め込み部（雄側）
５：本体底網部
６：壁引っ掛け穴
【図１】
2006169931.tif 000003
【図２】
2006169931.tif 000004
【図３】
2006169931.tif 000005
【図４】
2006169931.tif 000006
【図５】
2006169931.tif 000007